(57)【要約】【課題】ベントフィルターを取り付けるための開口部を筐体に設ける必要がなく、もってベントフィルターの取付構造を簡略化することを目的とし、またベントフィルターをシール部品と一体品として取り扱うことができ、もってベントフィルターを単独で取り扱う必要がなく、ベントフィルターの取り扱い性を向上させることを目的とする。【解決手段】筐体の合わせ面に装着されて筐体内部および筐体外部間をシールするシール部品と、筐体内部を筐体外部に対し通気させるベントフィルターとを備え、ベントフィルターがインサート成形によりシール部品によって一体に保持されている。ベントフィルターは、撥水性または撥油性を有するとともに多孔質素材よりなるフィルター部品の周りをシール材料浸透遮断膜で覆った構造を備え、さらにシール部品の周上一部においてシール部品の内周側から外周側へ貫通するように配置されている。【選択図】図１
2016017531.tif 000002
【特許請求の範囲】
【請求項１】
筐体の合わせ面に装着されて筐体内部および筐体外部間をシールするシール部品と、前記筐体内部を前記筐体外部に対し通気させるベントフィルターとを備え、
前記ベントフィルターは、インサート成形の実施により前記シール部品によって一体に保持され、
前記ベントフィルターは、撥水性または撥油性を有するとともに多孔質素材よりなるフィルター部品の周りをシール材料浸透遮断膜で覆った構造を備え、
さらに前記ベントフィルターは、前記シール部品の周上一部において前記シール部品の内周側から外周側へ貫通するように配置されていることを特徴とするベントフィルター一体シール。
【請求項２】
請求項１記載のベントフィルター一体シールにおいて、
前記ベントフィルターは、所定の長さおよび幅ならびに前記長さおよび幅より小さな厚みを備えて扁平状に成形され、前記厚みを前記シール部品が装着時に圧縮される方向に向け配置されていることを特徴とするベントフィルター一体シール。
【請求項３】
請求項１または２記載のベントフィルター一体シールにおいて、
前記筐体は、電子機器、精密機器、産業機器または自動車部品に係る筐体であることを特徴とするベントフィルター一体シール。
【発明の詳細な説明】
【技術分野】
【０００１】
本発明は、シール機能を備えるシール部品と、通気機能を備えるベントフィルターとを組み合わせたベントフィルター一体シールに関する。本発明のベントフィルター一体シールは例えば、電子機器（車載用電子機器を含む）の分野で用いられ、または精密機器の分野、油ポンプ等の産業機器の分野、ヘッドライト等の自動車部品の分野などで用いられる。
【背景技術】
【０００２】
例えば電子機器においては、温度変化による内圧変化を防止もしくは緩和するため、または結露を防止するために通気口が必要な場合がある。このため機器本体を内蔵する筐体に開口部を形成するが、このように開口部を形成するとこの開口部を経由して筐体外部から筐体内部へ水分、油、塵埃などの異物が侵入する原因ともなる。
【０００３】
これを防止するため、通気性を確保すると同時に、水分、油、塵埃などの異物が筐体内部へ侵入しないようベントフィルターを取り付けるのが一般的とされている。
【０００４】
例えば、図７（Ａ）に概略を示す電子機器５１においては、機器本体５２を内蔵する筐体５３に開口部５４が設けられ、この開口部５４にベントフィルター６１が取り付けられている。
【０００５】
筐体５３は、この筐体５３を開閉できるようケース５５および蓋体５６の組み合わせとされ、ケース５５および蓋体５６間にはここから水分、油、塵埃などの異物が筐体内部へ侵入しないようシール部品５７が取り付けられている。開口部５４はケース５５の側面位置に設けられ、この開口部５４にベントフィルター６１が取り付けられている。
【０００６】
ベントフィルター６１は図７（Ｂ）に拡大して示すように水分、油、塵埃などの異物は通さないが気体は通すフィルター本体６２と、このフィルター本体６２を保持するボディ６３および固定リング６４とを備え、ボディ６３に通気路６５５と、ボディ６３を開口部５４にねじ込むためのネジ部６６とが設けられ、更にボディ６３およびケース５５間をシールするためのシール材６７が組み付けられている。
【０００７】
しかしながら上記従来の技術によると、筐体５３のケース５５に、シール部品５７を取り付けるためのシール装着溝５８とは別に、ベントフィルター６１を取り付けるための開口部５４を設ける必要がある。したがって筐体５３の構成が複雑になり、開口部５４を設けるスペースが必要で、このため筐体５３の体積や重量が増える問題があり、意匠性についても制限を受けることになる。
【先行技術文献】
【特許文献】
【０００８】
【特許文献１】特開平５−３２０２５５号公報
【特許文献２】特開２０１４−１４０６０号公報
【発明の概要】
【発明が解決しようとする課題】
【０００９】
本発明は以上の点に鑑みて、ベントフィルターを取り付けるための開口部を筐体に設ける必要がなく、もってベントフィルターの取付構造を簡略化することを目的とし、またベントフィルターをシール部品と一体品として取り扱うことができ、もってベントフィルターを単独で取り扱う必要がなく、ベントフィルターの取り扱い性を向上させることを目的とする。
【課題を解決するための手段】
【００１０】
上記目的を達成するため、本発明の請求項１によるベントフィルター一体シールは、筐体の合わせ面に装着されて筐体内部および筐体外部間をシールするシール部品と、前記筐体内部を前記筐体外部に対し通気させるベントフィルターとを備え、前記ベントフィルターは、インサート成形の実施により前記シール部品によって一体に保持され、前記ベントフィルターは、撥水性または撥油性を有するとともに多孔質素材よりなるフィルター部品の周りをシール材料浸透遮断膜で覆った構造を備え、さらに前記ベントフィルターは、前記シール部品の周上一部において前記シール部品の内周側から外周側へ貫通するように配置されていることを特徴とする。
【００１１】
また、本発明の請求項２によるベントフィルター一体シールは、上記した請求項１記載のベントフィルター一体シールにおいて、前記ベントフィルターは、所定の長さおよび幅ならびに前記長さおよび幅より小さな厚みを備えて扁平状に成形され、前記厚みを前記シール部品が装着時に圧縮される方向に向け配置されていることを特徴とする。
【００１２】
また、本発明の請求項３によるベントフィルター一体シールは、上記した請求項１または２記載のベントフィルター一体シールにおいて、前記筐体は、電子機器、精密機器、産業機器または自動車部品に係る筐体であることを特徴とする。
【００１３】
上記構成を備える本発明のベントフィルター一体シールにおいては、筐体の合わせ面に装着されて筐体内部および筐体外部間をシールするシール部品と、筐体内部を筐体外部に対し通気させるベントフィルターとが設けられ、後者のベントフィルターがインサート成形の実施により前者のシール部品によって一体に保持されているため、このシール部品およびベントフィルターを一体品としてまとめて取り扱うことが可能とされ、また、ベントフィルターがシール部品とともに筐体の合わせ面に装着されるため、ベントフィルターを取り付けるための開口部を筐体の側面などに別途設ける必要がない。
【００１４】
シール部品は、例えばゴム状弾性体よりなるガスケットとされるが、その形状や材質はもっぱら装着箇所によって定められるので、本発明では特に限定されない。一方、ベントフィルターは、フィルター部品を備え、このフィルター部品が撥水性または撥油性を有するとともに多孔質よりなるので、水分をはじき油をはじき、多孔質により塵埃などに対するフィルター機能を発揮する。
【００１５】
シール部品およびベントフィルターを一体化するには、予めベントフィルターを製造したうえでこのベントフィルターをシール部品を成形するための金型のキャビティに挿入してシール部品を成形するインサート成形を実施することにし、これによればシール部品の成形完了と同時にシール部品およびベントフィルターの一体化を完了させることが可能とされる。
【００１６】
但し、多孔質よりなるベントフィルターを金型のキャビティに挿入してシール部品を成形すると、シール部品の成形材料をキャビティに注入したときに一部の成形材料が多孔質の空孔に侵入して空孔を塞いでしまうことが懸念されるので、本発明では撥水性または撥油性を有するとともに多孔質素材よりなるフィルター部品の周りをシール材料浸透遮断膜で覆う構造とした。このシール材料浸透遮断膜としてはシール材料が浸透（透過）しない性質のフィルムなどよりなるが、フィルター部品が不織布よりなる場合にはその表面を一旦溶融したうえで固化させることにより膜を形成し、この膜によりシール材料が浸透しないようにしても良い。
【００１７】
また、シール部品およびベントフィルターを一体化するための構造としては、上記ガスケットなどよりなるシール部品の周上一部においてシール部品の内周側から外周側へ貫通するようにベントフィルターを配置するのが好適であり、これによればシール部品によるシールライン方向に対しベントフィルターによるベントライン方向が交差（横断）する構造となるため、筐体内部と筐体外部がシール部品によって遮断されても筐体内部を筐体外部に対し通気させることが可能とされる。またこの構造によればベントフィルターがシール部品の厚み内に収められる。
【００１８】
また、筐体の合わせ面は可及的にスキマが小さいことが求められるので、この合わせ面に装着されるベントフィルターについてもその厚みが小さい（薄い）ほうが望ましい。そこで、ベントフィルターを以下の構造とすることを提案する。
【００１９】
すなわちベントフィルターの形状として、このベントフィルターを所定の長さおよび幅ならびに長さおよび幅より小さな厚みを備える扁平状に成形する。そして、厚みをシール部品が装着時に圧縮される方向に向け配置することにより、厚みが小さく扁平なものが筐体の合わせ面に挟まれることになる。
【００２０】
筐体は、例えば電子機器の筐体とされ、あるいは精密機器の筐体、産業機器の筐体または自動車部品の筐体などとされる。これらの機器または部品は水分、油、塵埃などの外部異物を嫌う傾向が強くベントフィルターは必須とされるので、これらの機器にとってベントフィルターを改良することは殊更重要である。
【発明の効果】
【００２１】
本発明は、以下の効果を奏する。
【００２２】
すなわち本発明においては以上説明したように、シール部品およびベントフィルターがインサート成形により一体とされているため、シール部品およびベントフィルターを一体品としてまとめて取り扱うことが可能とされ、また、ベントフィルターがシール部品とともに筐体の合わせ面に装着されるため、ベントフィルターを取り付けるための開口部を筐体の側面などに別途設ける必要がない。したがって本発明所期の目的どおり、ベントフィルターを取り付けるための開口部を筐体に設ける必要がなく、もってベントフィルターの取付構造を簡略化することができる。またベントフィルターをシール部品と一体品として取り扱うことができ、もってベントフィルターを単独で取り扱う必要がなく、ベントフィルターの取り扱い性を向上させることができる。
【００２３】
また、ベントフィルターが撥水性または撥油性を有するとともに多孔質素材よりなるフィルター部品の周りをシール材料浸透遮断膜で覆った構造を備えるため、シールの製造に際してインサート成形を実施してもシール部品の成形材料が多孔質の空孔に侵入して空孔を塞いでしまうことかなく、多孔質によるフィルター機能が維持される。また、ベントフィルターをしてシール部品の内周側から外周側へ貫通させることによりシールラインに対しベントラインが交差する構造となるので、シールライン設定の完了と同時にベントライン設定を完了することができ、ベントフィルターがシール部品の厚み内に収められるので、ベントフィルターが筐体の合わせを邪魔することもない。また、ベントフィルターを扁平形状とすることにより、筐体の合わせ方向に対しコンパクトな構造のベントフィルターを提供することができる。
【図面の簡単な説明】
【００２４】
【図１】本発明の実施例に係るベントフィルター一体シールの一例を示す図で、（Ａ）はその平面図、（Ｂ）はその断面図で（Ａ）におけるＦ−Ｆ線断面図
【図２】本発明の実施例に係るベントフィルター一体シールの他の例を示す図で、（Ａ）はその平面図、（Ｂ）はその断面図で（Ａ）におけるＧ−Ｇ線断面図
【図３】同ベントフィルター一体シールに備えられるベントフィルターの一例を示す図で、（Ａ）はその正面図、（Ｂ）はその平面図、（Ｃ）はその断面図であって（Ｂ）におけるＨ−Ｈ線断面図、（Ｄ）はその断面図であって（Ｂ）におけるＩ−Ｉ線断面図、（Ｅ）は同ベントフィルター一体シールに備えられるベントフィルターの他の例を示す断面図
【図４】同ベントフィルター一体シールを装着する電子機器の一例を示す図で、（Ａ）はその断面図、（Ｂ）はその要部拡大断面図
【図５】同ベントフィルター一体シールにおける通気路の説明図
【図６】同ベントフィルター一体シールの製造方法を示す説明図
【図７】従来例に係る図であって、（Ａ）は電子機器の断面図、（Ｂ）はベントフィルターの拡大断面図
【発明を実施するための形態】
【００２５】
本発明には、以下の実施形態が含まれる。
（１）本発明は、シールを横断するように撥水、撥油素材からなる、若しくは撥水・撥油処理したフィルターを成型加工する。すなわち本発明のベントフィルター一体シール（圧抜き（気体透過）シール）は、環状のシール部品と撥水・撥油素材からなる、もしくは撥水・撥油処理したベントフィルターから構成されており、シール部品の一部分にベントフィルターをインサート成形する。電子機器内部と外部との通気路はケースの上下の合わせ面に挟持されたベントフィルターで構成される。
（２）電子機器内部と外部は、ケースの上下の合わせ面に挟持されたベントフィルターの厚さ方向ではなく長さ方向（面方向）を介して連通しており、これが電子機器内部と外部との通気路となる（電子機器内外の気体はフィルターの長さ方向（面方向）を通過する）。本発明のベントフィルター一体シール（圧抜き（気体透過）シール）を用いることによりベントフィルター取り付け穴加工や、ベントフィルター自体が不要になり、設計の自由度が増し、意匠性も改善される。したがって通常のシール構造の範疇だけで、容易に外部環境変化による内外圧力差を無くし、水、油、埃の通過を防ぎつつ、省スペースの選択的シール部品の提供が可能となる。
【実施例】
【００２６】
つぎに本発明の実施例を図面にしたがって説明する。
【００２７】
（１）ベントフィルター一体シールの構成
図１に示すように当該実施例に係るベントフィルター一体シール１１は、シール機能を発揮するシール部品２１および通気機能を発揮するベントフィルター３１の組み合わせにより構成されており、ベントフィルター３１がインサート成形の実施によりシール部品２１によって一体に保持されている。ベントフィルター３１はシール部品２１の周上１箇所にてシール部品２１の内周側から外周側へ貫通するように配置されており、このためベントフィルター３１はシール部品２１の周上１箇所にてインサート成形により一体化されている。ベントフィルター３１はシール部品２１に埋設されてシール部品２１の表面から突出しておらず、または僅かしか突出しておらず、長さ方向の両端部がそれぞれシール部品２１の内周面または外周面で表面露出している。ベントフィルター３１はシール部品２１の厚みの中ほどに保持されている。ベントフィルター一体シール１１はその機能からして、圧抜きシールまたは気体透過シールとも称される。
【００２８】
ｉ）シール部品
シール部品２１は、ゴム状弾性体よりなる平面長方形の無端状環状ガスケットとされている。但し、シール部品２１の形状や材質はもっぱら装着箇所によって定められるので、これらの形状や材質は特に限定されず、例えば図２に示すような平面円形の無端状環状ガスケットなどであっても良い。
【００２９】
ｉｉ）ベントフィルター
図３に示すようにベントフィルター３１は、フィルター部品３２およびシール材料浸透遮断膜３３の組み合わせにより構成されており、撥水性または撥油性を有するとともに多孔質素材よりなるフィルター部品３２の周りをシール材料浸透遮断膜３３で覆った構造とされている。
【００３０】
このうちフィルター部品３２は、空孔率の高い素材よりなり、例えばポリプロピレン（ＰＰ）、ポリイミド（ＰＩ）またはポリテトラフルオロエチレン（ＰＴＦＥ）等よりなる不織布とされている。ＰＰ、ＰＩは撥水性を有し、ＰＴＦＥは撥水・撥油性を有するので、使用条件によっては、後処理で撥水・撥油剤の塗布は必要ない。不織布でこれらの性能が不足する場合、例えばＰＥＴや金属製の不織布では、予め撥水剤を塗布するか、成形後に寸法調整でフィルターを切断する場合には切断後に塗布するのが好適である。また、不織布の素材は、疎水性を有しない素材であっても、撥水剤を含浸後乾燥させることで、水分が不織布に溜らないようにするのも好適である。
【００３１】
一方、シール材料浸透遮断膜３３は、例えばポリエチレンテレフタレート（ＰＥＴ）等よりなる樹脂フィルムとされている。また、樹脂フィルムを用いる代わりとして、フィルター部品３２の表面を溶融させてシール成形材料が浸透しないようにするのも好適である。
【００３２】
また、ベントフィルター３１は、所定の長さＬおよび幅Ｗならびに前記長さＬおよび幅Ｗより小さな厚みＴを備える扁平なプレート状に成形されており、その長さＬの方向をもってシール部品２１の内周側から外周側へ貫通するように配置され、またその厚みＴの方向をシール部品２１が装着時に圧縮される方向に向けて配置されている。
【００３３】
また、このベントフィルター３１において、フィルター部品３２はその長さ方向の両端面３２ａ，３２ｂを除く４面（幅方向の両面および厚み方向の両面）をシール材料浸透遮断膜３３によって覆われており、長さ方向の両端面３２ａ，３２ｂはフィルター部品３２が露出したままとされている。したがって筐体内部とフィルター部品３２間、筐体外部とフィルター部品３２間でそれぞれ通気することが可能とされている。
【００３４】
（２）通気路
図４（Ａ）に示すようにベントフィルター一体シール１１は、機器本体４２を内蔵した電子機器４１の筐体４３の合わせ面４４に装着され、すなわち筐体４３はケース４５および蓋体４６の組み合わせとされ、ケース４５および蓋体４６はそれぞれの側壁部４５ａ，４６ａ端面が合わせ面４４とされ、ケース４５の側壁部４５ａ端面にシール部品２１を装着するためのシール装着溝４７が設けられているので、ベントフィルター一体シール１１はこのシール装着溝４７に装着され、装着された状態でシール部品２１は図４（Ｂ）に示すようにその厚み方向に圧縮される。
【００３５】
図４（Ｂ）の装着状態で、筐体内部Ｘと筐体外部Ｙは、筐体４３の合わせ面４４の間隙ｃおよびシール装着溝４７ならびに筐体４３の合わせ面４４に挟持されたベントフィルター一体シール１１におけるベントフィルター３１の厚み方向ではなく長さ方向を介して連通しており、これが筐体内部Ｘおよび筐体外部Ｙ間を連通する通気路とされる。図５ではこの通気路を矢印をもって示している。
【００３６】
（３）ベントフィルター一体シールの製法
上記構成のベントフィルター一体シール１１を製造するに際しては、先ずベントフィルター３１を製造し、次いでこのベントフィルター３１をインサート成形によりシール部品２１に対して一体化する。インサート成形時にフィルター部品３２の長さ方向の端面３２ａ，３２ｂからベントフィルター３１の内部へシール成形材料が侵入する虞がある場合には、ベントフィルター３１の全長Ｌをシール部品２１より大きく（長く）設定し、型でベントフィルター３１の端部を押さえ込むことによりシール成形材料の侵入を防ぐことが考えられる。以下にその手順を示す。
（ａ）図６（Ａ）に示すように上型７１と下型７２の間にベントフィルター３１を挿入する。
（ｂ）次いで図６（Ｂ）に示すように型締めし、上型７１と下型７２でベントフィルター３１の両端部をそれぞれ押さえ込む。その後、型内にシール成形材料を注入するが、ベントフィルター３１の両端部は閉じられているため、ベントフィルター３１の内部にシール成形材料が侵入することはない。
（ｃ）次いで図６（Ｃ）に示すように成形品を型から取り出し、ベントフィルター３１両端の余分な箇所をカットし、図６（Ｄ）に示すように完成に至る。
【００３７】
また、フィルター部品３２が例えばＰＴＦＥ等の撥水・撥油性を備えた素材であれば必要ないが、フィルター部品３２が撥水・撥油性を備えていない素材であればその後、切断面に、撥水・撥油剤を塗布し乾燥させる。
【００３８】
また、ベントフィルター３１の製造に際して、フィルター部品３２の周りをシール材料浸透遮断膜３３で被覆するには、フィルター部品３２の周りを円筒状の遮断膜３３で覆ったり、フィルター部品３２の周りを１枚の遮断膜３３で覆い、その両端の重ね合わせ部を互いに接合したり、図３（Ｅ）に示すように２枚の遮断膜３３でフィルター部品３２を挟み込み、遮断膜３２同士を対向２辺で互いに接合したりしても良い。
【００３９】
上記構成を備えるベントフィルター一体シール１１においては、筐体４３の合わせ面４４に装着されて筐体内部Ｘおよび筐体外部Ｙ間をシールするシール部品２１と、筐体内部Ｘを筐体外部Ｙに対し通気させるベントフィルター３１とが設けられ、後者のベントフィルター３１がインサート成形の実施により前者のシール部品２１によって一体に保持されているため、このシール部品２１およびベントフィルター３１を一体品としてまとめて取り扱うことが可能とされ、またベントフィルター３１がシール部品２１とともに筐体４３の合わせ面４４に装着されるため、ベントフィルター３１を取り付けるための開口部を筐体４３の側面などに別途設ける必要がない。したがってベントフィルター３１を取り付けるための開口部を筐体４３に設ける必要がなく、もってベントフィルター３１の取付構造を簡略化し、意匠性を向上させることもでき、またベントフィルター３１をシール部品２１と一体品として取り扱うことができ、もってベントフィルター２１を単独で取り扱う必要がなく、ベントフィルター２１の取り扱い性を向上させることができる。
【００４０】
また、ベントフィルター３１が撥水性または撥油性を有するとともに多孔質素材よりなるフィルター部品３２の周りをシール材料浸透遮断膜３３で覆った構造を備えるため、シール１１の製造に際してインサート成形を実施してもシール部品２１の成形材料が多孔質の空孔に侵入して空孔を塞いでしまうことかなく、多孔質によるフィルター機能が維持される。また、ベントフィルター３１をしてシール部品２１の内周側から外周側へ貫通させることによりシールラインに対しベントラインが交差する構造とされているため、シールライン設定の完了と同時にベントライン設定を完了することができ、ベントフィルター３１がシール部品２１の厚み内に収められているため、ベントフィルター３１が筐体４３の合わせを邪魔することもない。また、ベントフィルター３１が扁平形状とされているため、筐体４３の合わせ方向に対しコンパクトな構造のフィルター製品を提供することができる。
【符号の説明】
【００４１】
１１  ベントフィルター一体シール
２１  シール部品
３１  ベントフィルター
３２  フィルター部品
３２ａ，３２ｂ  長さ方向の端面
３３  シール材料浸透遮断膜
４１  電子機器
４２  機器本体
４３  筐体
４４  合わせ面
４５  ケース
４５ａ，４６ａ  側壁部
４６  蓋体
４７  シール装着溝
７１  上型
７２  下型
Ｘ  筐体内部
Ｙ  筐体外部
【図１】
2016017531.tif 000003
【図２】
2016017531.tif 000004
【図３】
2016017531.tif 000005
【図４】
2016017531.tif 000006
【図５】
2016017531.tif 000007
【図６】
2016017531.tif 000008
【図７】
2016017531.tif 000009